(57)【特許請求の範囲】
【請求項１】
スプレーヘッドであって、少なくとも１つのノズル（３）を有するスプレーヘッド胴体部（２）と、感熱性のトリガエレメント（５）と、前記スプレーヘッドに関連して配される保護手段（６）と、を有し、
前記保護手段は、前記スプレーヘッドが非作動状態のときに保護位置において前記ノズル（３）の前面に位置して前記トリガエレメント（５）を機械的に保護し、さらに、前記保護手段（６）は、前記ノズル（３）及び前記トリガエレメント（５）を保護しない第２の位置に移動可能である、スプレーヘッドにおいて、
前記トリガエレメント（５）はトリガエレメント固定胴体部（４）に嵌合し、
前記トリガエレメント固定胴体部（４）は第１の位置と第２の位置との間を前記スプレーヘッド胴体部（２）に対して移動可能であり、前記第１の位置では、前記スプレーヘッドは非作動状態にあり、前記トリガエレメント固定胴体部（４）は収縮しており、前記第２の位置では、前記トリガエレメント固定胴体部（４）が突出しており、
前記トリガエレメント固定胴体部（４）は、媒体の圧力の影響により前記第１の位置から前記第２の位置へと前記スプレーヘッド胴体部（２）に対して移動し得るように配設されるとともに、前記保護手段（６）を前記保護位置から前記第２の位置に移動させるため前記保護手段（６）に力を付与するように配設され、
前記スプレーヘッドは、前記トリガエレメント固定胴体部（４）の前記第２の位置において準備状態にあり、該準備状態は、前記ノズル（３）が媒体を噴射するように、前記トリガエレメント（５）の補助により前記スプレーヘッドが作動し得る状態であることを特徴とするスプレーヘッド。
【請求項２】
前記媒体が消火媒体であることを特徴とする請求項１に記載のスプレーヘッド。
【請求項３】
前記スプレーヘッド胴体部（２）は、シリンダスペース（１３）を含み、前記トリガエレメント固定胴体部（４）の少なくとも一部は、ピストン部材として形成され、前記媒体の圧力の影響により前記第１の位置から前記第２の位置へと前記シリンダスペース（１３）内を移動し得るように配設されることを特徴とする請求項１又は２に記載のスプレーヘッド。
【請求項４】
前記トリガエレメント固定胴体部（４）は、移動を制限するショルダ等からなるリミッタ手段（１２）を含み、前記スプレーヘッド胴体部（２）は前記リミッタ手段（１２）に対応する対応面（１８）を含むことを特徴とする請求項１〜３のいずれかに記載のスプレーヘッド。
【請求項５】
前記トリガエレメント（５）は、前記トリガエレメント固定胴体部（４）の移動方向に対して横断方向に延びて配設されることを特徴とする請求項１〜４のいずれかに記載のスプレーヘッド。
【請求項６】
前記トリガエレメント固定胴体部（４）は、支持部材（４１）を含み、前記保護手段（６）が前記トリガエレメント（５）及び前記ノズル（３）を保護する際に、前記支持部材は、前記保護手段（６）側における前記トリガエレメント固定胴体部（４）の端部に対応することを特徴とする請求項１〜５のいずれかに記載のスプレーヘッド。
【請求項７】
前記保護位置において、前記保護手段（６）は、カバーボード（９）の開口部（１５）内、取付ボックス（８）内又は前記スプレーヘッドの対応する取付開口内に嵌合することを特徴とする請求項１〜６のいずれかに記載のスプレーヘッド。
【請求項８】
熱の影響により破裂するアンプルなどのトリガエレメント（５）がトリガし、前記スプレーヘッドがスプレーするために起動すると離間するように、前記トリガエレメント固定胴体部（４）の前記支持部材（４１）が配設されることを特徴とする請求項６に記載のスプレーヘッド。
【請求項９】
前記トリガエレメント固定胴体部（４）は、前記スプレーヘッドの作動状態時に前記媒体をスプレーするスプレーノズル（４２）を含むことを特徴とする請求項１〜８のいずれかに記載のスプレーヘッド。
【請求項１０】
前記スプレーヘッドは、公共の場や移動手段の消火システムに適用されることを特徴とする請求項１〜９のいずれかに記載のスプレーヘッド。
【発明の詳細な説明】
【技術分野】
【０００１】
本発明はスプレーヘッドに関する。該スプレーヘッドは、請求項１に記載のように、少なくとも１つのノズルを有するスプレーヘッド胴体部と、感熱性トリガエレメントと、スプレーヘッドに関連して配される保護手段と、を有し、保護手段は、スプレーヘッドが非作動状態のときに保護位置においてノズルの前面に位置してトリガエレメントを機械的に保護し、さらに、保護手段は、少なくとも１つのノズル及びトリガエレメントを保護しない第２の位置に移動可能である。
【背景技術】
【０００２】
このようなスプレーヘッドは、特に消化の用途に利用されるものが周知であり、例えば、欧州特許第１１５０７４７号明細書に開示されている。スプレーヘッドのノズル及びトリガエレメントを保護するドーム状の部材は、ホルダボディに対して移動可能である装置により解放される。当該明細書は、ドーム状部材を解放し、スプレーヘッドを準備位置に配置するための他の異なる代替例を開示している。
【先行技術文献】
【特許文献】
【０００３】
【特許文献１】欧州特許第１１５０７４７号明細書
【特許文献２】国際公開第２００７／０８２９８８Ａ１号パンフレット
【発明の概要】
【発明が解決しようとする課題】
【０００４】
また、国際公開第２００７／０８２９８８Ａ１号パンフレットに開示の手段が周知であり、ここでは、スプリンクラーボディが移動可能に形成され、該ボディが保護手段に力を付与して保護手段を解放するものが開示されている。当該パンフレットにおける手段の問題点は、保護手段の解放が、スプリンクラーの質量的に相対的に大きな移動可能部材を設けることによってなされることである。これにより、スプリンクラーの形成が構造的により複雑化し、製造コストが増加することとなる。さらに、該開示による手段は、高さが高いため、スプレーヘッドに利用可能なスペースが制限されている用途ではかなり不利となる。このような用途としては、例えば、公共の場所や電車等の移動手段がある。
【課題を解決するための手段】
【０００５】
本発明の目的は、保護手段がスプレーヘッド及びトリガエレメントの前面から効果的に取り除かれることにより、必要なスペースを最小限とする新しいタイプのスプレーヘッドを提供することである。他の目的は、スプレーヘッド、具体的には、スプレーヘッド及びスプレーヘッドの保護手段を解放する装置のより単純な組合せを実現することにより、操作上の信頼性を向上させることである。
【０００６】
本発明は、スプレーヘッドのトリガエレメントの固定胴体部が２つの位置間を移動するように配設されるコンセプトに基づいており、スプレーヘッドのトリガエレメントの固定胴体部は保護手段のリリース（解放）手段として機能する。
【０００７】
本発明によるスプレーヘッドの特徴は、トリガエレメントはトリガエレメントの固定胴体部に嵌合し、固定胴体部は第１の位置と第２の位置との間をスプレーヘッド胴体部に対して移動可能であり、前記第１の位置では、スプレーヘッドは非作動状態にあり、トリガエレメントの固定胴体部は収縮（後退）しており、前記第２の位置では、トリガエレメントの固定胴体部が突出しており、トリガエレメントの固定胴体部は、媒体の圧力の影響により第１の位置から第２の位置へとスプレーヘッド胴体部に対して移動し得るように配設されるとともに、保護手段を保護位置から第２の位置に移動させるため保護手段に力を付与するように配設され、スプレーヘッドは、トリガエレメントの固定胴体部の第２の位置において準備状態に位置することである。
【０００８】
本発明による装置は、請求項２〜１０に記載の特徴も有する。
【０００９】
本発明の解決策により、多くの重要な利点がもたらされる。スプレーヘッドのトリガ手段の固定胴体部を移動可能に配設すること及びこれを用いて保護手段を解放することにより、厳しい環境下におけるスプレーヘッドを準備状態に置くための非常に良好に機能する解決策がもたらされる。スプレーヘッドを移動させるために消火媒体を用いることにより、スプレーヘッドの前面から保護手段を取り除く手段のための有利な組合せが実現する。スプレーヘッドのバルブスピンドル又はその一部をトリガエレメントの固定胴体部として用いることにより、媒体の圧力を保護手段に伝える運動力に変換するための十分に大きな表面が得られる。固定胴体部上で横断方向にトリガエレメントを配設することにより、構造を省スペース化することができる。本発明によるスプレーヘッドは適用可能な固定部材に容易に接続可能である。本発明は、周辺環境からのスプレーヘッドの保護が必要な状況下に配設するのに非常に適している。前記状況には、移動手段（例えば、電車）などの利用可能なスペースが制限される公共の場所などが含まれる。本発明は、特に消火用途、具体的には高液体量の媒体ミストが消火媒体として使用される用途に非常に適している。
【００１０】
以下、添付の図面を参照して、より具体的に本発明を説明する。
【図面の簡単な説明】
【００１１】
【図１】第１の位置における本発明による装置の部分断面図。
【図２】例えば、準備位置である第２の位置における本発明による装置の部分断面図。
【図３】例えば、起動位置である第３の位置における本発明による装置の部分断面図。
【図４ａ】本発明によるスプレーヘッドの断面図。
【図４ｂ】図４ａの線Ｂ−Ｂにおける本発明によるスプレーヘッドの断面図。
【発明を実施するための形態】
【００１２】
図１は、天井、壁又は他の対応する面などの固定面１０に配設される本発明によるスプレーヘッド１を示す。スプレーヘッド１にはパイプライン７又は媒体用導管が配設され、これにより、スプレーされる媒体がスプレーヘッド１に供給される。パイプラインは、固定具１１により固定面１０に固定される。壁や天井の構造体は、吊り天井等のカバーボード９を含み、カバーボード９は、固定面から所定の距離を隔てて配されており、これにより、固定面１０とカバーボード９との間にパイプライン７用のスペース１４が生じる。カバーボード９には開口部１５が形成される。開口部１５には取付ボックス８が配設され、取付ボックス８の壁部及びベース部分は、開口部１５から内側に（つまり、図中のパイプライン７に向かって）延びている。スプレーヘッドの少なくとも１つのノズル３の前面でかつトリガエレメント５の前面に保護手段６が配設される。図１の実施例における保護手段６は、開口部１５及びスプレーヘッド１を覆うように配されるプレートである。固定手段１７は、これに対応する対応部材１６に適合するように保護手段上に配置される。図示した実施例では、対応部材１６は、取付ボックス８に設けられているが、開口部１５の壁部などカバーボード９に設けてもよい。他の実施例として、保護手段をスプレーヘッドに配設してもよい。この場合、保護手段６の形状は、例えば、ドーム型とすることができる。
【００１３】
図１は、第１の位置におけるスプレーヘッド１の部分断面図である。スプレーヘッド１は、パイプライン７に配された固定部に配設される。この固定部にスプレーヘッドの胴体部（すなわち、スプレーヘッド胴体部２）が配設される。
【００１４】
スプレーヘッドには、感熱性トリガ手段（例えば、所定の温度で壊れるアンプル（ａｍｐｏｕｌｅ））などのトリガエレメント５が配設される。トリガエレメント５は、トリガエレメントの固定胴体部４において配設される。
【００１５】
図示した実施例におけるトリガエレメント５は、省スペース化をもたらすようにトリガエレメントの固定胴体部４に対して横断方向に延びている。トリガエレメントは、図１の側方（すなわち、実質的にカバーボード９の方向）に延びている。図１の実施例におけるトリガエレメント５は、スプレーヘッド胴体部２と保護手段６との間に位置する。
【００１６】
トリガエレメントの固定胴体部４は、少なくとも第１の位置（すなわち、図１の非作動位置）と第２の位置（すなわち、図２の準備位置）との間でスプレーヘッド胴体部２に対し移動し得るように嵌合している。
【００１７】
少なくとも１つのノズル３は、スプレーヘッドの胴体部２に配設される。図示したスプレーヘッドは複数のノズル３を有する。
【００１８】
スプレーヘッド胴体部２にはダクト１３が設けられており、このダクト内において、トリガエレメントの固定胴体部４が第１の位置と第２の位置との間を移動する。パイプライン７内における媒体の圧力が増加すると、該圧力がトリガエレメントの固定胴体部４の面に作用する。この面の形成は、トリガエレメントの固定胴体部４が胴体部２のダクト１３内の第１の位置から第２の位置（すなわち、スプレーヘッド胴体部２のダクトスペースの対応面１８）へと移動し得るようになされる。トリガエレメントの固定胴体部４は、ショルダ１２を含み、該ショルダは、スプレーヘッド胴体部のダクトスペースの対応面１８に対応する。したがって、ショルダ１２は、移動を制限するリミッタ部材として機能する。固定胴体部４の移動の結果、保護手段６側及び／又はトリガエレメント５における固定胴体部４の端部４１は、保護手段６に作用する。保護手段６は、固定位置（図１）から外れて、スプレーヘッド胴体部のノズル及びトリガエレメント５の前面から離れるように移動する（図２）。
【００１９】
スプレーヘッドは、少なくとも１つのノズル３を有するスプレーヘッド胴体部２、感熱性トリガエレメント５及び保護手段６を含む。保護手段６は、ノズル３の前面に位置し、スプレーヘッドが非作動状態にあるときにトリガエレメント５を機械的に保護する。また、保護手段６は、該手段がノズル３及びトリガエレメント５を保護しない第２の位置へと移動し得る。
【００２０】
トリガエレメントの固定胴体部４は、スプレーヘッド胴体部２に対して、２つの位置の間、つまりスプレーヘッドが非作動状態にある第１の位置と、トリガエレメントの固定胴体部４が引き出された第２の位置との間で移動する。トリガエレメントの固定胴体部４は、媒体圧力の作用により第１の位置から第２の位置へとスプレーヘッド胴体部に対して移動するように配設されるととともに、保護位置から第２の位置へと移動させるため保護手段６に対して力を付与するように配置される。トリガエレメントの固定胴体部４の第２の位置では、スプレーヘッドは準備状態に配置される。スプレーヘッド胴体部２は、ダクト１３（すなわち、シリンダスペース）を含む。トリガエレメントの固定胴体部４の少なくとも一部は、ピストンとして形成され、媒体圧力の作用により第１の位置から第２の位置へとシリンダスペース内を移動するように配設される。
【００２１】
一実施例では、通常、移動に使用される媒体は消化剤である。他の適用可能な媒体を用いてもよい。
【００２２】
トリガエレメント５及びノズル３を保護する保護手段６は、スプレーヘッドと関連して配設される。図１によると、保護手段６は、カバーボード９の開口部１５に配設される取付ボックス８の壁部におけるリング状の対応部材（カウンタエレメント）１６に対して保護位置（図１）に固定される。リング状の対応部材１６は取付ボックス８の壁部上に配されている。保護手段６上に固定部分１７が位置する。保護手段６の固定部分１７及びリング状の対応部材１６は、ロック部を形成し、保護手段を保護位置における所定の位置に保持する。保護手段６は、保護位置における所定の位置に留まり、これにより、スプレーヘッドの重要な部材がスプレーヘッド周辺環境の影響から十分に保護される。保護される重要な部材としては、例えば、トリガエレメント５（通常はアンプル）及びノズル３などがある。スプレーヘッドは、不純物、ほこりや破損行為（汚損）にさらされる種々の環境下に置かれることがあり、かかる場合、スプレーヘッドの作動が害されるため保護手段６なしではスプレーヘッドが故障してしまう。一方で、保護手段６は、トリガエレメント５の望ましくないトリガを防止する（例えば、高温ガス流をスプレーヘッドに導くことにより防止する）。このような状況は、例えば、高速道路のトンネルにおいて生じることがあり（例えば、トラックの排気ガスが一瞬にしてスプレーヘッドへと直接導かれる）、又は、破損行為（例えば、故意にスプレーヘッドに向けられるライターの炎）によって生じ得る。
【００２３】
スプレーヘッドは、媒体を圧力でパイプライン７に導くことにより準備状態に位置し得る。その結果、媒体の圧力は、スプレーヘッドにおけるトリガエレメントの固定胴体部の面に及び、これにより、スプレーヘッド胴体部における第１の位置から第２の位置（すなわち、図２の下方）へとトリガエレメントの固定胴体部を押圧する力が生じる。トリガエレメントの固定胴体部４は、保護手段６に対して作用する。トリガエレメントの固定胴体部４により保護手段６に加わる力が保護手段を所定の位置に保持する力を越えると、保護手段は、その位置から外れて、図２による非保護位置へと移動する。図における固定胴体部は、最も外側の部材（すなわち、支持部材４１）の位置において、保護手段６に対して固定胴体部の移動方向に作用する。
【００２４】
準備状態では（図２）、スプレーヘッドは、トリガエレメント５の補助（例えば、熱の影響による破壊等）により通常の方法で作動し、ノズル３が消化剤を噴射する。準備状態では、本発明によるトリガエレメントの固定胴体部における第１の端部はスプレーヘッド胴体部からある程度離間して延びており、一方の端部において燃焼している対象物により近接して、固定地点（例えば、天井や壁部の面）から所定の距離だけ離間している。
【００２５】
パイプライン７は、通常、いわゆる乾燥管であり、消化剤を含んでいない。消化剤がパイプライン７に導かれると、消化剤は前述のように作用して、トリガエレメントの固定胴体部を第１の位置から第２の位置へと準備状態に移動させ、保護手段６はロック状態から外れる。準備状態において、スプレーヘッドのアンプル５が、例えば、熱の影響により破裂すると、消化剤がスプレーヘッドのノズル３から噴射される。
【００２６】
図３は、本発明による作動時のスプレーヘッドを図示する。この場合、トリガエレメントは、破裂し、同時にトリガエレメントの支持部材４１がトリガエレメント５の固定胴体部４から離れる。このときノズルの前面には噴射を妨げる部材は存在しない。
【００２７】
図４ａ及び図４ｃは、本発明によるスプレーヘッドの断面図である。
【００２８】
本発明はスプレーヘッドに関する。スプレーヘッドは、少なくとも１つのノズル３を有するスプレーヘッド胴体部２と、感熱性トリガエレメント５と、スプレーヘッドに関連して配される保護手段６と、を有する。保護手段は、スプレーヘッドが非作動状態のときに保護位置においてノズル３の前面に位置してトリガエレメント５を機械的に保護し、さらに、保護手段６は、少なくとも１つのノズル３及びトリガエレメント５を保護しない第２の位置に移動可能である。トリガエレメント５はトリガエレメントの固定胴体部４に嵌合し、固定胴体部は第１の位置と第２の位置との間をスプレーヘッド胴体部２に対して移動可能であり、前記第１の位置では、スプレーヘッドは非作動状態にあり、トリガエレメントの固定胴体部４は収縮（後退）しており、前記第２の位置では、トリガエレメントの固定胴体部が突出しており、トリガエレメントの固定胴体部は、媒体の圧力の影響により第１の位置から第２の位置へとスプレーヘッド胴体部２に対して移動し得るように配設されるとともに、保護手段を保護位置から第２の位置に移動させるため保護手段６に力を付与するように配設され、スプレーヘッドは、トリガエレメントの固定胴体部の第２の位置において準備状態に位置する。
【００２９】
本発明の１つの好ましい実施例によると、スプレーヘッド胴体部２は、シリンダスペース１３を含み、トリガエレメントの固定胴体部４の少なくとも一部は、ピストン部材として形成され、媒体の圧力の影響により第１の位置から第２の位置へとシリンダスペース１３内を移動し得るように配設される。
【００３０】
本発明の１つの好ましい実施例によると、トリガエレメントの固定胴体部４は、移動を制限するショルダ等からなるリミッタ手段１２を含み、スプレーヘッド胴体部２はリミッタ手段に対応する対応面１８を含む。
【００３１】
トリガエレメント５は、トリガエレメントの固定胴体部４の移動方向に対して横断方向に延びて配設される。
【００３２】
本発明の１つの好ましい実施例によると、トリガエレメントの固定胴体部４は、支持部材４１を含み、保護手段６がトリガエレメント及びスプレーヘッド少なくとも１つのノズル３を保護する際に、支持部材は、保護手段６側におけるトリガエレメントの固定胴体部４の端部に対応する。
【００３３】
本発明の１つの好ましい実施例によると、保護位置において、保護手段６は、カバーボード９の開口部１５内、取付ボックス８内又はスプレーヘッドの対応する取付開口内に嵌合する。
【００３４】
本発明の１つの好ましい実施例によると、熱の影響により破裂するアンプルなどのトリガエレメント５がトリガし、スプレーヘッドがスプレーするために起動すると離れる（外れる）ように、トリガエレメントの固定胴体部４の支持部材４１が嵌合する。
【００３５】
スプレーヘッドは、ロック手段４３を含み、該手段は第１のつめ４４及び第２のつめ４５を有する。ロック手段４３は、支持軸４６を中心として回転可能に配設される。例えば、温度上昇によりトリガエレメント５が壊れると、ロック手段４３は支持軸４６を中心として回転し、これにより、図４ａの第１のつめ４４が等距離だけ右方に移動し、トリガエレメントの固定胴体部に対する支持部材４１を溝４７にロックしている第２のつめ４５が上方に移動して、固定胴体部４の溝４７における支持部材４１のロック状態が解かれる。
【００３６】
別の実施例として、例えば、解放可能に嵌合するトリガエレメントのホルダを開示する国際公開第９８／５６４６３号パンフレットに記載の方法で、トリガエレメントの固定胴体部の支持部材を配設することができる。
【００３７】
本発明の１つの好ましい実施例によると、トリガエレメントの固定胴体部４は、スプレーヘッドの作動状態時に媒体をスプレーするスプレーノズル４２を含む。
【００３８】
スプレーヘッドは、公共の場や移動手段の消火システムに適用される。
【００３９】
本発明のスプレーヘッドは、高い液体量の消火剤をスプレーするのに好適である。スプレーヘッドの用途及び特徴等については、欧州特許第１１５０７４７号明細書及び国際公開第０１／２６７４２号パンフレットを参照されたい。
【００４０】
本発明は上記の例示的な実施例に限定されるものではなく、本発明の範囲内で種々の変更がなされることを当業者であれば理解されるであろう。
【図１】
0005377764.tif 000002
【図２】
0005377764.tif 000003
【図３】
0005377764.tif 000004
【図４ａ】
0005377764.tif 000005
【図４ｂ】
0005377764.tif 000006